(57)【特許請求の範囲】
【請求項１】
自動販売機の前面パネルに開設されたパネル穴に筒状部が前面パネルの表側から差し込まれ前側頭部がパネル穴と筒状部との間の隙間を覆って前面パネルの表面側に外装される押ボタンケースと、この押ボタンケースの筒状部前部に開設した押ボタン穴に前方に抜け落ちないように設置される操作部材と、前記押ボタンケースの筒状部内に背面から取り付けられて光を前方へ導くリフレクタと、前方突出部が前記操作部材の背面凹陥部に嵌め込まれ周辺部が前記押ボタンケースの内面と前記リフレクタとで押圧挟持され前記前方突出部と前記周辺部との中間部の弾力によって前方突出部が前記リフレクタと離間して前記操作部材を前後方向移動可能に保持する弾性部材と、この弾性部材の背面から後方へそれぞれ延設される棒状スイッチ機能部及び透光性棒状部と、前記リフレクタを通り抜けた前記棒状スイッチ機能部により開閉動作されるスイッチと前記リフレクタに挿入された前記透光性棒状部に対峙する発光ダイオードとを有して前記前面パネルの背面側に設置される基板と、前記押ボタンケースの前側頭部の前記前面パネル側で前記筒状部を囲繞する弾性体と、前記前面パネルの背面側で前記基板を支持し具備する傾斜突起が前記リフレクタのフックと係合して前記弾性体が変形するように前記押ボタンケースの前側頭部との間に前記前面パネルを挟持する押ボタン取付部材とを備え、前記押ボタンケースと前記押ボタン取付部材とが両端部に設けられるビスによっても連結固定されることを特徴とする押ボタン装置。
【請求項２】
自動販売機の前面パネルに開設されたパネル穴に筒状部が前面パネルの表側から差し込まれ前側頭部がパネル穴と筒状部との間の隙間を覆って前面パネルの表面側に外装される押ボタンケースと、この押ボタンケースの筒状部前部に開設した押ボタン穴に前方に抜け落ちないように設置される操作部材と、前記押ボタンケースの筒状部内に取り付けられるリフレクタと、前方突出部が前記操作部材の背面凹陥部に嵌め込まれ周辺部が前記押ボタンケースの内面と前記リフレクタとで押圧挟持され前記前方突出部と前記周辺部との中間部の弾力によって前方突出部が前記リフレクタと離間して前記操作部材を前後方向移動可能に保持する弾性部材と、この弾性部材の背面から後方へそれぞれ延設される棒状スイッチ機能部及び透光性棒状部と、前記リフレクタを通り抜けた前記棒状スイッチ機能部により開閉動作されるスイッチと前記リフレクタに挿入された前記透光性棒状部に対峙する発光ダイオードとを有して前記前面パネルの背面側に設置される基板と、前記基板を保持し前記リフレクタと係合する押ボタン取付部材と、前記押ボタンケースの前側頭部の前記前面パネル側には前記筒状部を囲繞するように弾性体を備え、前記リフレクタの外周部には傾斜突起を有し、前記押ボタンケースの筒状部には係合穴を有しており、前記押ボタンケースの押ボタン穴に前記操作部材が挿入され前記棒状スイッチ機能部が前記リフレクタを通り抜け前記透光性棒状部が前記リフレクタに挿入されるよう前記弾性部材と前記リフレクタを前記押ボタンケースの筒状部に背面から挿入し、前記傾斜突起が前記係合穴に嵌合して、前記押ボタンケースの内面と前記リフレクタとで前記弾性部材の周辺部を押圧挟持して前記前方突出部が前記リフレクタと離間して前記操作部材を前後方向移動可能に保持するよう前記押ボタンケースと前記操作部材と前記リフレクタと前記弾性部材を一体化し、この一体化した状態で前記押ボタンケースの筒状部を前記パネル穴に前記前面パネルの表側から差し込み、前記基板を支持して前記前面パネルの背面側に配設した前記押ボタン取付部材と前記リフレクタとを前記押ボタン取付部材の弾性変形可能な部分の弾性変形又は前記リフレクタのフックを利用して係合させることにより、前記押ボタンケースの前側頭部と前記前面パネルとの間に前記弾性体を密着して、前記押ボタンケースの前側頭部と前記押ボタン取付部材とで前記前面パネルを挟持し、その後前記押ボタンケースと前記押ボタン取付部材の両端部同士をビスによって連結固定して前記前面パネルに取り付けることを特徴とする押ボタン装置の取付方法。
【発明の詳細な説明】
【０００１】
【発明の属する技術分野】
本発明は、自動販売機に組み付けられる商品選択スイッチなどの押ボタン装置に関するものである。
【０００２】
【従来の技術】
自動販売機は周知のように屋内だけでなく、風雨に曝される屋外にも設置される。したがって、商品選択スイッチとしてその前面パネルに設置される押ボタン装置には、雨水などが自動販売機内、特にスイッチ部に侵入しないように充分な水密性が要求され、要部をシリコーンゴムでシールする技術が、例えば平成８年５月３０に登録された実用新案第２５０６５０７号（実願昭６３−９６５３０号、但しこの公報にはシリコンゴムと記載されている）に提案されている。
【０００３】
しかし、自動販売機の道路へのはみ出し設置が近年厳しく取り締まられるようになって来たので、押ボタン装置を含めた全体の奥行寸法を小さくする必要があるが、前記実用新案第２５０６５０７号の押ボタン構造は前面パネルの前面に取り付ける構造であるため、前方への突出量を小さくすることが困難であった。
【０００４】
一方、実開平３−１２７９７１号公報には、自動販売機のパネルに開設した穴にパネル前面からスイッチの後部を差し込んで固定する技術が提案されている。このスイッチ構造ではスイッチの前方への突出量が抑えられるが、このスイッチは部材間のシール性が悪いために、内部に雨水が浸入して電気系統や駆動部分でトラブルが発生し易いと云った問題点があった。
【０００５】
【発明が解決しようとする課題】
したがって、優れたシール性を確保しながら、前方への出っ張り寸法を小さくすることのできる押ボタン装置を提供する必要性があった。
【０００６】
【課題を解決するための手段】
本発明は上記した技術の課題を解決するためになされたものであって、自動販売機の前面パネルに開設されたパネル穴に筒状部が前面パネルの表側から差し込まれ前側頭部がパネル穴と筒状部との間の隙間を覆って前面パネルの表面側に外装される押ボタンケースと、この押ボタンケースの筒状部前部に開設した押ボタン穴に前方に抜け落ちないように設置される操作部材と、前記押ボタンケースの筒状部内に背面から取り付けられて光を前方へ導くリフレクタと、前方突出部が前記操作部材の背面凹陥部に嵌め込まれ周辺部が前記押ボタンケースの内面と前記リフレクタとで押圧挟持され前記前方突出部と前記周辺部との中間部の弾力によって前方突出部が前記リフレクタと離間して前記操作部材を前後方向移動可能に保持する弾性部材と、この弾性部材の背面から後方へそれぞれ延設される棒状スイッチ機能部及び透光性棒状部と、前記リフレクタを通り抜けた前記棒状スイッチ機能部により開閉動作されるスイッチと前記リフレクタに挿入された前記透光性棒状部に対峙する発光ダイオードとを有して前記前面パネルの背面側に設置される基板と、前記押ボタンケースの前側頭部の前記前面パネル側で前記筒状部を囲繞する弾性体と、前記前面パネルの背面側で前記基板を支持し具備する傾斜突起が前記リフレクタのフックと係合して前記弾性体が変形するように前記押ボタンケースの前側頭部との間に前記前面パネルを挟持する押ボタン取付部材とを備え、前記押ボタンケースと前記押ボタン取付部材とが両端部に設けられるビスによっても連結固定されるようにした第１の構成の押ボタン装置と、
【００２０】
自動販売機の前面パネルに開設されたパネル穴に筒状部が前面パネルの表側から差し込まれ前側頭部がパネル穴と筒状部との間の隙間を覆って前面パネルの表面側に外装される押ボタンケースと、この押ボタンケースの筒状部前部に開設した押ボタン穴に前方に抜け落ちないように設置される操作部材と、前記押ボタンケースの筒状部内に取り付けられるリフレクタと、前方突出部が前記操作部材の背面凹陥部に嵌め込まれ周辺部が前記押ボタンケースの内面と前記リフレクタとで押圧挟持され前記前方突出部と前記周辺部との中間部の弾力によって前方突出部が前記リフレクタと離間して前記操作部材を前後方向移動可能に保持する弾性部材と、この弾性部材の背面から後方へそれぞれ延設される棒状スイッチ機能部及び透光性棒状部と、前記リフレクタを通り抜けた前記棒状スイッチ機能部により開閉動作されるスイッチと前記リフレクタに挿入された前記透光性棒状部に対峙する発光ダイオードとを有して前記前面パネルの背面側に設置される基板と、前記基板を保持し前記リフレクタと係合する押ボタン取付部材と、前記押ボタンケースの前側頭部の前記前面パネル側には前記筒状部を囲繞するように弾性体を備え、前記リフレクタの外周部には傾斜突起を有し、前記押ボタンケースの筒状部には係合穴を有しており、前記押ボタンケースの押ボタン穴に前記操作部材が挿入され前記棒状スイッチ機能部が前記リフレクタを通り抜け前記透光性棒状部が前記リフレクタに挿入されるよう前記弾性部材と前記リフレクタを前記押ボタンケースの筒状部に背面から挿入し、前記傾斜突起が前記係合穴に嵌合して、前記押ボタンケースの内面と前記リフレクタとで前記弾性部材の周辺部を押圧挟持して前記前方突出部が前記リフレクタと離間して前記操作部材を前後方向移動可能に保持するよう前記押ボタンケースと前記操作部材と前記リフレクタと前記弾性部材を一体化し、この一体化した状態で前記押ボタンケースの筒状部を前記パネル穴に前記前面パネルの表側から差し込み、前記基板を支持して前記前面パネルの背面側に配設した前記押ボタン取付部材と前記リフレクタとを前記押ボタン取付部材の弾性変形可能な部分の弾性変形又は前記リフレクタのフックを利用して係合させることにより、前記押ボタンケースの前側頭部と前記前面パネルとの間に前記弾性体を密着して、前記押ボタンケースの前側頭部と前記押ボタン取付部材とで前記前面パネルを挟持し、その後前記押ボタンケースと前記押ボタン取付部材の両端部同士をビスによって連結固定して前記前面パネルに取り付ける押ボタン装置の取付方法を提供するものである。
【００２１】
【発明の実施の形態】
本発明の実施形態を、図面に基づいて説明する。
自動販売機２００に使用される本発明の押ボタン装置１００は、図１に示したように、自動販売機２００の透明な前面パネル２０１の表面側から取り付けられる押ボタンケース１、小径のＯリング２Ａ、操作部材としてのキートップ３、弾性部材４、弾性部材固定手段としてのリフレクタ５、大径のＯリング２Ｂと、前面パネル２０１の背面側から取り付けられる補強部材６、ビス７、基板８、ボタン取付部材９とからなる。
【００２２】
押ボタンケース１は、図７に示したように貫通した押ボタン穴１０が複数、例えば４個列設された板状部１１と、各押ボタン穴１０を囲繞して板状部１１の背面から後方に延設された４個の筒状部１２とを有する。各筒状部１２は、自動販売機２００の前面パネル２０１に列設されたパネル穴２０２と同一ピッチで、且つ、パネル穴２０２に挿入可能に外径がそれより僅かに細く形成される。
【００２３】
押ボタンケース１の板状部１１は、その背面側に各筒状部１２を囲繞する浅い溝１３を備えて、少なくとも押ボタン穴１０が開設されている部分は前面パネル２０１のパネル穴２０２より大きく形成され、溝１３それぞれに例えば図１１（ｂ）に示した形状の、シリコーンゴム、軟質ゴムなどの弾性体からなるＯリング２Ｂが嵌め込まれて、自動販売機２００への装着時における前面パネル２０１と押ボタンケース１との間の水密性が確保される。
【００２４】
また、押ボタンケース１の内側の一部、例えば下方を除く部分は図３などに示したように押ボタン穴１０から２段、すなわち第１の垂直壁１４と第２の垂直壁１５を介して拡径されて筒状部１２の内壁に至り、第１の垂直壁１４には筒状部１２の後端開口部から挿入されたキートップ３の張出部１６が係合し、第２の垂直壁１５は全周に渡って形成され、この部分に弾性部材４の周辺部１９前面が接する。
【００２５】
また、押ボタンケース１の両端部の背面から後方に、図示しない雌ネジを有する筒状部１７が前面パネル２０１に開設された小径のパネル穴２０３にその前面から差し込めるように延設されている。
【００２６】
図１１（ａ）に示した形状の小径のＯリング２Ａは、押ボタンケース１の筒状部１７にその後端部から嵌め込まれて、ビス７による押ボタンケース１の前面パネル２０１への取付時にパネル穴２０３の周囲の水密性を確保するものであり、シリコーンゴム、軟質ゴムなどの弾性体から形成される。
【００２７】
キートップ３は、例えば透明なプラスチックからなり、図８に示したようにその筒状体の前端は閉塞され、開口した後端下部を除く部分からは前記張出部１６が外方に延設され、押ボタンケース１の開口した筒状部１２の後端から挿入されたときに、張出部１６が押ボタンケース１の第１の垂直壁１４に係合して押ボタン穴１０から前方への脱落が防止できるようになっている。
【００２８】
弾性部材４は、図９に示したように中央部がキートップ３の凹陥した内側と同形に前方に突出形成され、この前方突出部１８がキートップ３の凹陥部に嵌め込まれ、前記周辺部１９が押ボタンケース１の第２の垂直壁１５とリフレクタ５の前端とで挟持され、傾斜した中間部２０の弾力によって、キートップ３を押ボタン穴１０から前方に押し出す方向に作用する力で浮かせて保持すると共に、キートップ３を押ボタン穴１０の内側に１ｍｍ前後押し込むことができるように形成されている。
【００２９】
この弾性部材４は弾力性、耐久性、光透過性などを考慮して、半透明のシリコーン樹脂で形成されるのが好ましい。また、弾性部材４は前方突出部１８の背面から基板８の方向に直角に延設された左右一対の棒状スイッチ機能部（これが「課題を解決するための手段」でスイッチ機能部材と云ったものに該当する）２１Ｌ、２１Ｒと、上下一対の透光性棒状部２２Ｔ、２２Ｂとを有し、透光性棒状部２２Ｔが延設されている前方突出部１８の表面側には販売中を意味する○印２３が、透光性棒状部２２Ｂが延設されている前方突出部１８の表面側には売切２４が印刷されている。
【００３０】
なお、これらの印刷は赤色を全面に途布し、さらにその上に所要の文字、図形などを黒抜き印刷することで、透光性棒状部２２Ｔ、２２Ｂそれぞれの後端部が対峙する部分の基板８に設けた上下一対の発光ダイオード２５Ｔ、２５Ｂの点灯時にも内部が透けて見えないように構成されている。
【００３１】
リフレクタ５は不透明なプラスチックなどからなり、図１０に示したように前部の略円形をした外周部に所定の間隔で分散配置された複数の傾斜突起２６と、上板２７の下面後端部の左右２個所に設けられたレ型のフック２７Ｌ、２７Ｒと、下板２８の上面後端部の左右２個所に設けられたレ型のフック２８Ｌ、２８Ｒとを有し、押ボタンケース１の筒状部１２に開設された複数の係合穴３０に対応する傾斜突起２６を嵌合させることで、押ボタンケース１に取り付けられる。
【００３２】
この押ボタンケース１への取付状態において、リフレクタ５の前端部が弾性部材４の周辺部１９の背面に密着し、押ボタンケース１とキートップ３との間の水密性が確保される。この場合、押ボタンケース１の第２の垂直壁１５の縁部には１本の突条３１がエンドレスに設けられており、この突条３１が弾性部材４の前面に食い込むように装着されるのでシール性が一層高まる構造となっている。
【００３３】
また、リフレクタ５は、中心部分の上下２箇所に水平に横置形成された筒状体から構成されて弾性部材４の透光性棒状部２２Ｔ、２２Ｂが差し込まれる上下一対の穴３２Ｔ、３２Ｂを有すると共に、この上下２個の穴の左右位置に前後に貫通し弾性部材４の棒状スイッチ機能部２１Ｌ、２１Ｒが差し通される左右一対の隙間３３Ｌ、３３Ｒを有して形成され、基板８の発光ダイオード２５Ｔ、２５Ｂが出す光を前方に導く機能と、弾性部材４によるシールを確実にする機能とを併有しているので、コストを下げる効果が大きい。
【００３４】
上記した自動販売機２００の前面パネル２０１にその前面側から組み付けられる押ボタンケース１、Ｏリング２Ａと２Ｂ、キートップ３、弾性部材４およびリフレクタ５の６部品は、プリセットされた状態で自動販売機２００の前面パネル２０１に組み付けられる。
【００３５】
すなわち、小径のＯリング２Ａは押ボタンケース１の両端部の筒状部１７にその後端部側から嵌め込まれ、太径のＯリング２Ｂは押ボタンケース１の溝１３に筒状部１２の側から嵌め込まれ、キートップ３は押ボタンケース１の筒状部１２の後部開口端から挿入されて押ボタン穴１０に嵌められ、このキートップ３の内側に弾性部材４が同様にその前方突出部１８を嵌め込まれて挿入され、この状態でリフレクタ５の複数の傾斜突起２６を押ボタンケース１の複数の係合穴３０に嵌め込ませることで一体化される。
【００３６】
一方、前面パネル２０１の背面に設置される補強部材６は、剛性の大きい素材である鉄板などから形成され、図１２に示したように前板３５と、この前板３５の上下両端部から後方に延設された上板３６と下板３７とから断面コ字状に折り曲げ形成されて補強されており、その長さは前面パネル２０１に列設された８個のパネル穴２０２と４個のパネル穴２０３に対応可能に長く形成され、その前板３５にはパネル穴２０２に対応して開設された大きい８個の穴３８と、パネル穴２０３に対応して開設された小さい４個の穴３９とを有し、穴３９を介して押ボタンケース１の筒状部１７が後方に突出する。
【００３７】
また、この補強部材６の上板３６の背面側には８個の切欠き部４０が前面パネル２０１のパネル穴２０２に対応する位置に形成され、且つ、前板３５の両端部から後方には横板４１が延設されている。
【００３８】
基板８は、図１３に示したように前面パネル２０１の各パネル穴２０２に対応する位置それぞれに、左右一対のスイッチ４２Ｌ、４２Ｒからなるスイッチ４２と、上下一対の前記発光ダイオード２５Ｔ、２５Ｂとを備えると共に、これらのスイッチと発光ダイオードを制御するマイコン４３と、左右一対のコネクター４４Ｌ、４４Ｒとを備えて、ボタン取付部材９の複数の脱落防止部材４５により位置決め支持されて前面パネル２０１の背面側に配設される。
【００３９】
脱落防止部材４５を有するボタン取付部材９は、図１４に示したように背面板４６と、その背面板４６の上下両端部から前方に延設された上板４７と下板４８とを有して、基板８をその内側に収納保護する機能を備えると共に、前面パネル２０１の各パネル穴２０２に対応する位置それぞれの上板４７外面の後端部左右２個所には一対の傾斜突起４９Ｌ、４９Ｒが設けられ、下板４８外面後端部の左右２個所には一対の傾斜突起５０Ｌ、５０Ｒが設けられ、これらの傾斜突起とリフレクタ５のフック２７Ｌ、２７Ｒ、２８Ｌ、２８Ｒとを係合させることで、押ボタンケース１などがパネル２０１に取り付けられる。
【００４０】
そして、この取付時に、自動販売機２００の前面パネル２０１と押ボタンケース１とはその間に介在するＯリング２Ａおよび２Ｂが変形するように密着取付されて、前面パネル２０１と押ボタンケース１との間がＯリング２Ａおよび２Ｂによって水密状態にシールされる。
【００４１】
なお、ボタン取付部材９は、ビス７のネジ部を差し通すことができる前後に連通した左右一対の穴５１Ｌ、５１Ｒを、前面パネル２０１のパネル穴２０３に臨む位置に備えており、穴５１Ｌ、５１Ｒにその背面からビス７を差し込み、押ボタンケース１の筒状部１７の図示しない雌ネジに螺合させることで取り付けが一層確実になる。
【００４２】
このボタン取付部材９は金属板をプレス成形して作成することもできるが、支持する基板８の位置や、傾斜突起４９Ｌ、４９Ｒ、５０Ｌ、５０Ｒの位置、寸法などが精度良く形成できるように、合成樹脂などを用いた型成形品とすることが好ましい。この場合、ボタン取付部材９は、図３、図４などに示したように、背面板４７などに厚肉部を設けたり、リブ状部を設けるなどして、剛性を高めることが望ましい。
【００４３】
そして、この基板８の前面パネル２０１背面への装着時に、弾性部材４の棒状スイッチ機能部２１Ｌ、２１Ｒの後端それぞれがリフレクタ５の隙間３３Ｌ、３３Ｒを通り抜けて基板８のスイッチ４２Ｌ、４２Ｒの前方約０．５ｍｍに位置し、透光性棒状部２２Ｔ、２２Ｂそれぞれが穴３２Ｔ、３２Ｂに挿入されて基板８の発光ダイオード２５Ｔ、２５Ｂに対峙するように構成されている。
【００４４】
なお、押ボタン取付部材９によって支持されて前面パネル２０１の背面に列設される基板８同士は、図１５に示したようにコネクター４４Ｌ、４４Ｒを介して連結され、上下に並設される基板８同士は自動販売機２００の制御器５２にシリーズに接続される。
【００４５】
そして、制御器５２が出力する制御信号によって全ての基板８のスイッチ４２毎に上下一対の発光ダイオート２５Ｔ、２５Ｂの何れか一方が商品の在庫状態に応じて点灯すると共に、発光ダイオート２５Ｔが点灯しているときに所要の額面の貨幣が図示しない貨幣投入口から投入され、対応する押ボタンスイッチのキートップ３が押ボタン穴１０の内側に押し込まれて、棒状スイッチ機能部２１Ｌ、２１Ｒの少なくとも何れか一方の後端が対峙するスイッチ４２Ｌ、４２Ｒを押したときにはそのスイッチ４２が閉成し、これにより制御器５２から自動販売機２００の図示しない商品搬送手段に制御信号が送信されて所要の商品の販売動作が行われるようになっている。
【００４６】
なお、発光ダイオート２５Ｔ、２５Ｂが点灯すると、発光ダイオート２５Ｔ、２５Ｂから出た光は透光性棒状部２２Ｔ、２２Ｂにその後端部から進入し、屈折率が空気より大きい透光性棒状部２２Ｔ、２２Ｂの光ファイバー効果によって外部に漏れることなく前方に案内され、弾性部材４の前方突出部１８の表面に印刷した○印２３または売切２４の何れか一方が明るく照らし出される。
【００４７】
上記構成の本発明の押ボタン装置１００においては、上記したように押ボタンケース１にＯリング２Ａ、２Ｂと、キートップ３と、弾性部材４と、リフレク５とをプリセットすると共に、自動販売機２００の前面パネル２０１の背面側から取り付ける補強部材６、基板８およびボタン取付部材９も、基板８を支持したボタン取付部材９を補強部材６の上板３６と下板３７との間にその後方から差し込んでプリセットし、前面パネル２０１の表面側と背面側とに対向設置し、両者をプレス機などで押圧嵌合させて取り付けることができるので、これら部品を一つづつ取り付ける場合に比較して自動販売機２００の生産性が格段に向上する。
【００４８】
また、本発明の押ボタン装置１００においては、ボタン取付部材９の左右一対の穴５１Ｌ、５１Ｒにその後方から差し込まれ、押ボタンケース１の筒状部１７の図示しない雌ネジに螺合されるビス７によっても前面パネル２０１に固定されるので、悪戯されても押ボタン装置１００が外れると言ったことがない。
【００４９】
なお、図１７に示したように、ボタン取付部材９の上板４７の下面前端部に設けた突起５３Ｔと、下板４８の上面前端部に設けた突起５３Ｂとが前後方向に移動可能に、上板４７、下板４８および背面板４６の一部を切り欠き、リフレクタ５の上板２７と下板２８それぞれに開設した穴２７Ｃと２８Ｃに突起５３Ｔ、５３Ｂをその立板部分を前方に強制的に弾性変形させながら嵌め入れて係合させ、立板部分の弾性力によってリフレクタ５をボタン取付部材９側に引き付け、これによって押ボタンケース１を前面パネル２０１の前面に押し付け、Ｏリング２Ａ、２Ｂによるシール性を一層高めるように構成することもできる。
【００５０】
また、図１８に示したように、弾性部材４の前方突出部１８を凸レンズ状に中央部を膨らませて形成し、上下方向に位置ずれした所からも、○２３や売切２４が見え易くすることができる。
【００５１】
また、弾性部材４の前方突出部１８の背面側も破線で示すように中央部を肉厚に形成して、発光ダイオート２５Ｔ、２５Ｂから出て透光性棒状部２２Ｔ、２２Ｂを通って前方突出部１８に至る光が前方部分で拡散して○印２３や売切２４が均一に照らされるように構成することもできる。
【００５２】
また、弾性部材４の透光性棒状部２２Ｔ、２２Ｂ後端部を球面状に凹陥させ、この球面状に凹んだ後端部が発光ダイオート２５Ｔ、２５Ｂを覆うように配置し、発光ダイオート２５Ｔ、２５Ｂから出た光が漏れなく透光性棒状部２２Ｔ、２２Ｂにその後端部から進入するように構成することもできる。
【００５３】
また、弾性部材４の棒状スイッチ機能部２１Ｌ、２１Ｒは後端部に導電性部材を取り付け、基板８のスイッチ４２を棒状スイッチ機能部２１Ｌ、２１Ｒの導電性部材の何れかが接したときに閉成するタイプのスイッチとすることもできる。
【００５４】
また、操作部材であるキートップ３は張出部１６を備えないで作成し、弾性部材４の前面に貼り付けるなどしてキートップ３と弾性部材とを一体化することもできる。
【００５５】
また、透光性棒状部２２Ｔ、２２Ｂを備えない弾性部材４を作成すると共に、リフレクタ５の穴３２Ｔ、３２Ｂの内面を光の反射率が高い白色で、且つ、平滑に仕上げて発光ダイオード２５Ｔ、２５Ｂから出た光が効率よく弾性部材４の前方突出部１８の印刷部に案内されるように構成することもできる。
【００５６】
また、透光性棒状部２２Ｔ、２２Ｂを備えない弾性部材４においては、例えば○印２３と売切２４とが印刷表示された前方突出部１８の印刷部分の背面部分を図１９に示したように薄く形成し、表面側の印刷表示を発光ダイオード２５Ｔ、２５Ｂから出た光で明るく照らすようにすることもできる。なお、この場合は黒色のシリコーン樹脂で弾性部材４を形成し、不要な光が横方向に漏れないように遮断することが好ましい。
【００５７】
また、ボタン取付部材９を色付きの樹脂で形成し、本発明の押ボタン装置１００の背面側に設ける図示しない照明器具による光でもってキートップ３の部分、またはその周囲をボタン取付部材９の色に色付けるようにすることもできる。
【００５８】
また、補強部材６、ビス７は必ずしも設ける必要はない。例えば、悪戯される
懸念がない場合には、補強部材６、ビス７の設置を省略してコストの削減を図ることもできる。
【００５９】
また、押ボタンケース１は筒状部１２を１個だけ有するように短く形成することもできる。
【００６０】
また、複数の押ボタン穴１０に、一つの弾性部材４、一つのリフレクタ５が対応するように構成することもできる。
【００６１】
また、本発明の押ボタン装置１００は、自動販売機２００以外のもの、例えば飲料供給機や自動貸し出し機などにも組み込むことができる。
【００６２】
【発明の効果】
以上説明したように本発明の押ボタン装置においては、自動販売機の商品選択手段として組み付け使用する場合には、前面パネルに開設したボタン取付け用のパネル穴の内側に大半の部品が収納されるので、前方への突出幅は小さくなり、狭いところにも設置可能となった。また、部品同士の間のシールを弾性部材で行い、自動販売機の前面パネルとの間のシールをリング状シール部材（Ｏリング）で行うので、シール性が良い。さらに、押ボタンケースと押ボタン取付部材とは、両端部同士がビスによっても連結固定さるので、装着部から外れ難く、悪戯され難い。
【００６３】
また、前面パネルから前方への突出幅が小さく抑えられたので、押ボタン装置の部分には埃が溜り難く、清潔な状態が長く保てると共に、突起部分に手を引っ掛けて負傷すると云った懸念がなくなったので、前面パネルや押ボタン装置の汚れを拭き取る作業が短時間で行えるようになった。
【００６４】
なお、前面パネルの表面側に外装される押ボタンケースの前側頭部や、操作部材（キートップ）の外周部分に丸みを設けることで、突起部分に手を引っ掛けて負傷する懸念がなくなると云った前記作用効果は一層顕著になる。
【００６５】
また、押ボタン取付部材が前後方向に弾性変形可能な部分を有し、この部分の弾性変形を利用して押ボタン取付部材を押ボタンケースまたは弾性部材固定手段に着脱する構造の押ボタン装置においては、パネルへの密着性が一層高くなるので、水密性が一層改善される。
【００６６】
また、パネル穴が列設された前面パネルを長い押ボタンケースと押ボタン取付部材とで挟持し、その間に長い補強部材を設ける構造の押ボタン装置においては、前面パネルを補強する作用効果が大きく、したがって前面パネルの薄板化が図れると云った特長がある。
【００６７】
また、一つの押ボタンケースに複数の筒状部が設けられ、この押ボタンケースに一つの押ボタン取付部材と一つの基板が対応設置される構造の押ボタン装置においては、生産性が極めて高くなり、コスト削減効果が一層顕著となる。これは、リフレクタの傾斜突起が押ボタンケースの筒状部の係合穴に嵌合させることによって、弾性部材の周辺部が押圧挟持されて、押ボタンケースと操作部材との間が水密状態になる組み立てができ、押ボタン取付部材の弾性変形可能な部分の弾性変形又はリフレクタのフックの利用によって、リフレクタと押ボタン取付部材とが係合するため、押ボタンケースの前側頭部とパネルとの間が水密状態となる組み立てができ、防水機能が要求される押ボタン装置の組み立てがし易きものとなる。
【図面の簡単な説明】
【図１】本発明の部品構成を示す説明図である。
【図２】本発明の装置が自動販売機に装着されたときの水平断面の説明図である。
【図３】図２におけるＸ−Ｘ断面の説明図である。
【図４】図２におけるＸ−Ｘ断面の説明図である。
【図５】図２におけるＺ−Ｚ断面の説明図である。
【図６】本発明の装置を真後ろから見た説明図である。
【図７】押ボタンケースの説明図である。
【図８】キートップの説明図である。
【図９】弾性部材の説明図であり、（a）は斜視図、（ｂ）は正面図、（c）は断面図である。
【図１０】リフレクタの説明図である。
【図１１】Ｏリングの説明図である。
【図１２】補強部材の説明図である。
【図１３】基板の説明図である。
【図１４】ボタン取付部材の説明図である。
【図１５】基板の接続を示す説明図である。
【図１６】自動販売機の説明図である。
【図１７】押ボタン取付部材の一変形実施形態を示す説明図である。
【図１８】弾性部材の一変形実施形態を示す説明図である。
【図１９】弾性部材の他の変形実施形態を示す説明図である。
【符号の説明】
１  押ボタンケース
２Ａ、２Ｂ  Ｏリング
３  キートップ
４  弾性部材
５  リフレクタ
６ 補強部材
７ ビス
８ 基板
９  ボタン取付部材
１０  押ボタン穴
１１  板状部
１２  筒状部
１３  溝
１４  第１の垂直壁
１５  第２の垂直壁
１６  張出部
１７  筒状部
１８  前方突出部
１９ 周辺部
２０  中間部
２１Ｌ・２１Ｒ  棒状スイッチ機能部
２２Ｔ・２２Ｂ  透光性棒状部
２３  ○印
２４  売切
２５Ｔ・２５Ｂ  発光ダイオード
２６  傾斜突起
２７  上板
２７Ｌ・２７Ｒ フック
２７Ｃ  穴
２８  下板
２８Ｌ・２８Ｒ  フック
２８Ｃ 穴
３０  係合穴
３１  突条
３２Ｔ・３２Ｂ  穴
３３Ｌ・３３Ｒ  隙間
３５  前板
３６  上板
３７  下板
３８・３９  穴
４０ 切欠き部
４１ 横板
４２・４２Ｌ・４２Ｒ  スイッチ
４３  マイコン
４４Ｌ・４４Ｒ コネクター
４５  脱落防止部材
４６  背面板
４７  上板
４８  下板
４９Ｌ・４９Ｒ・５０Ｌ・５０Ｒ  傾斜突起
５１Ｌ・５１Ｒ 穴
５２ 制御器
５３Ｔ・５３Ｂ  突起
１００  押ボタン装置
２００  自動販売機
２０１  前面パネル
２０２・２０３ パネル穴
【図１】
0003865348.tif 000002
【図２】
0003865348.tif 000003
【図３】
0003865348.tif 000004
【図４】
0003865348.tif 000005
【図５】
0003865348.tif 000006
【図６】
0003865348.tif 000007
【図７】
0003865348.tif 000008
【図８】
0003865348.tif 000009
【図９】
0003865348.tif 000010
【図１０】
0003865348.tif 000011
【図１１】
0003865348.tif 000012
【図１２】
0003865348.tif 000013
【図１３】
0003865348.tif 000014
【図１４】
0003865348.tif 000015
【図１５】
0003865348.tif 000016
【図１６】
0003865348.tif 000017
【図１７】
0003865348.tif 000018
【図１８】
0003865348.tif 000019
【図１９】
0003865348.tif 000020